(57)【特許請求の範囲】
【請求項１】
細長直方体形状の箱本体（１）にロール状に巻回された食品用ラップフィルム（Ｒ）を引出し可能に収納し、上記箱本体（１）に開閉自在に設けられた蓋体（３）を有する食品用ラップフィルムの収納箱に於て、
上記蓋体（３）の長手方向の両端部（３Ａ）（３Ａ）に、上記食品用ラップフィルム（Ｒ）の切断を開始させるための短寸帯板状切断刃（２）（２）を配設し、かつ、上記蓋体（３）の長手方向の中間部（３Ｂ）に、上記箱本体（１）の長手方向に沿った直線状切断誘導用ガイド部（１３）を設け、
短寸帯板状の上記切断刃（２）（２）は、上記切断誘導用ガイド部（１３）に対して所定の傾斜角度（θ）をもって外端下傾状となるように配設され、かつ、先端縁部（４Ａ）に２つの角部（５）（５）を有する四角歯（４）が多数本列設された櫛歯状の歯列部（６）が形成され、
さらに、上記四角歯（４）の２つの角部（５）（５）のうちの外側の角部（５Ａ）が鋭角（φ）を成し、上記切断刃（２）の上記傾斜角度（θ）に対応して上記四角歯（４）が平行四辺形状に形成され、上記鋭角（φ）を成す外側の角部（５Ａ）は、極微小アール状に形成され、その曲率半径（Ｒ５）が、０．０２ｍｍ≦Ｒ５≦０．０６ｍｍに設定されていること特徴とする食品用ラップフィルムの収納箱。
【請求項２】
細長直方体形状の箱本体（１）にロール状に巻回された食品用ラップフィルム（Ｒ）を引出し可能に収納し、上記箱本体（１）に開閉自在に設けられた蓋体（３）を有する食品用ラップフィルムの収納箱に於て、
上記蓋体（３）の長手方向の両端部（３Ａ）（３Ａ）に、上記食品用ラップフィルム（Ｒ）の切断を開始させるための短寸帯板状切断刃（２）（２）を配設し、かつ、上記蓋体（３）の長手方向の中間部（３Ｂ）に、上記箱本体（１）の長手方向に沿った直線状切断誘導用ガイド部（１３）を設け、
短寸帯板状の上記切断刃（２）（２）は、先端縁部（４Ａ）に２つの直角状角部（５）（５）を有する四角歯（４）が多数本列設された櫛歯状の歯列部（６）が形成され、
さらに、２つの上記角部（５）（５）は、極微小アール状に形成され、その曲率半径（Ｒ５）が、０．０２ｍｍ≦Ｒ５≦０．０６ｍｍに設定されていること特徴とする食品用ラップフィルムの収納箱。
【請求項３】
細長直方体形状の箱本体（１）にロール状に巻回された食品用ラップフィルム（Ｒ）を引出し可能に収納し、上記箱本体（１）に開閉自在に設けられた蓋体（３）を有する食品用ラップフィルムの収納箱に於て、
上記蓋体（３）の長手方向の両端部（３Ａ）（３Ａ）に、上記食品用ラップフィルム（Ｒ）の切断を開始させるための短寸帯板状切断刃（２）（２）を配設し、かつ、上記蓋体（３）の長手方向の中間部（３Ｂ）に、上記箱本体（１）の長手方向に沿った直線状切断誘導用ガイド部（１３）を設け、
短寸帯板状の上記切断刃（２）（２）は、上記切断誘導用ガイド部（１３）に対して所定の傾斜角度（θ）をもって外端下傾状となるように配設され、かつ、先端縁部（４Ａ）に２つの直角状角部（５）（５）を有する四角歯（４）が多数本列設された櫛歯状の歯列部（６）が形成され、
さらに、２つの上記角部（５）（５）は、極微小アール状に形成され、その曲率半径（Ｒ５）が、０．０２ｍｍ≦Ｒ５≦０．０６ｍｍに設定されていること特徴とする食品用ラップフィルムの収納箱。
【請求項４】
細長直方体形状の箱本体（１）にロール状に巻回された食品用ラップフィルム（Ｒ）を引出し可能に収納し、上記箱本体（１）に開閉自在に設けられた蓋体（３）を有する食品用ラップフィルムの収納箱に於て、
上記蓋体（３）の長手方向の両端部（３Ａ）（３Ａ）に、上記食品用ラップフィルム（Ｒ）の切断を開始させるための短寸の切断刃（２）（２）を配設し、かつ、上記蓋体（３）の長手方向の中間部（３Ｂ）に、上記箱本体（１）の長手方向に沿った直線状切断誘導用ガイド部（１３）を設け、かつ、該切断誘導用ガイド部（１３）に沿って帯板状案内補強部材（７）を配設し、
上記切断刃（２）（２）は、上記切断誘導用ガイド部（１３）に対して所定の傾斜角度（θ）をもって外端下傾状となるように配設され、かつ、先端縁部（４Ａ）に２つの角部（５）（５）を有する四角歯（４）が多数本列設された櫛歯状の歯列部（６）が形成され、
さらに、上記四角歯（４）の２つの角部（５）（５）のうちの外側の角部（５Ａ）が鋭角（φ）を成し、上記切断刃（２）の上記傾斜角度（θ）に対応して上記四角歯（４）が平行四辺形状に形成され、上記鋭角（φ）を成す外側の角部（５Ａ）は、極微小アール状に形成され、その曲率半径（Ｒ５）が、０．０２ｍｍ≦Ｒ５≦０．０６ｍｍに設定されている食品用ラップフィルムの収納箱。
【請求項５】
上記切断誘導用ガイド部（１３）は、歯無しに形成されている請求項１，２，３又は４記載の食品用ラップフィルムの収納箱。
【発明の詳細な説明】
【技術分野】
【０００１】
本発明は、食品用ラップフィルムの収納箱に関する。
【背景技術】
【０００２】
従来、ロール状に巻回された食品用ラップフィルムを引出し可能に収納すると共に、所望の長さに切断するための切断刃を取付けた食品用ラップフィルムの収納箱が用いられていた（特許文献１参照）。
【先行技術文献】
【特許文献】
【０００３】
【特許文献１】特開２０１０−２４７８７３号公報
【発明の概要】
【発明が解決しようとする課題】
【０００４】
特許文献１記載の食品用ラップフィルムの収納箱には、図１３に示すように、鋭利な刃先４２を有するギザギザの歯４１…を長手方向一側辺に多数本列設して成る切断刃４０が用いられていた。しかし、従来の収納箱を使用する際、切断刃４０のギザギザの歯４１…に使用者の手や指が接触した場合、皮膚を傷付けたりケガをしたりする虞れがあり、危険であった。また、従来の切断刃４０は、収納箱の長手方向全長にわたる長尺帯板状に形成されていた。このため、食品用ラップフィルムを使い終わった後の分別処理の時に、切断刃４０を蓋から引き剥がすと、長尺の切断刃４０が反発力をもって渦巻き状に反り返って、手や指に巻き付いたり顔や腕に接触したりして大変危険であった。
【０００５】
また、従来の食品用ラップフィルムの収納箱は、切断刃４０のギザギザの歯４１…に沿って食品用ラップフィルムＲ´を切断するため、図１４に示すように、食品用ラップフィルムＲ´の切断端縁４９に、山部４４と谷部４５が交互に形成されて比較的深い凹凸が生じていた。つまり、ギザギザの切断刃４０によって切断された食品用ラップフィルムＲ´は、切断端縁４９がジグザグになる。食品用ラップフィルムＲ´は、収納箱からの引出し方向に直交する向きに分子鎖が配向しており、言い換えると、切断刃４０に沿った方向に避け易い分子配向性を有している。従来の切断刃４０では、ジグザグの切断端縁４９を形成しつつ食品用ラップフィルムＲ´を切断するため、分子鎖が切断されて、比較的大きな切断力を加えなければ食品用ラップフィルムＲ´を切断することができなかった（図１２参照）。しかも、食品用ラップフィルムＲ´は、凹凸の谷部４５を起点として長手（引き出し）方向に破れ易くなり、食品用ラップフィルムＲ´が途切れてしまう、いわゆる“途中切れ”の原因となっていた。食品用ラップフィルムＲ´が途中切れすると、収納箱の蓋を開いて食品用ラップフィルムＲ´を取り出す必要が生じ、切断刃４０の刃先４２によりケガをする危険性を増大させてしまうという問題があった。
【０００６】
そこで、本発明は、安全性を改善し、切れ味を向上し、かつ、食品用ラップフィルムの途中切れを防止し得る食品用ラップフィルムの収納箱を提供することを目的とする。
【課題を解決するための手段】
【０００７】
本発明に係る食品用ラップフィルムの収納箱は、細長直方体形状の箱本体にロール状に巻回された食品用ラップフィルムを引出し可能に収納し、上記箱本体に開閉自在に設けられた蓋体を有する食品用ラップフィルムの収納箱に於て、上記蓋体の長手方向の両端部に、上記食品用ラップフィルムの切断を開始させるための短寸帯板状切断刃を配設し、かつ、上記蓋体の長手方向の中間部に、上記箱本体の長手方向に沿った直線状切断誘導用ガイド部を設け、短寸帯板状の上記切断刃は、上記切断誘導用ガイド部に対して所定の傾斜角度をもって外端下傾状となるように配設され、かつ、先端縁部に２つの角部を有する四角歯が多数本列設された櫛歯状の歯列部が形成され、さらに、上記四角歯の２つの角部のうちの外側の角部が鋭角を成し、上記切断刃の上記傾斜角度に対応して上記四角歯が平行四辺形状に形成され、上記鋭角を成す外側の角部は、極微小アール状に形成され、その曲率半径が、０．０２ｍｍ≦Ｒ５≦０．０６ｍｍに設定されているものである。
【０００８】
また、細長直方体形状の箱本体にロール状に巻回された食品用ラップフィルムを引出し可能に収納し、上記箱本体に開閉自在に設けられた蓋体を有する食品用ラップフィルムの収納箱に於て、上記蓋体の長手方向の両端部に、上記食品用ラップフィルムの切断を開始させるための短寸帯板状切断刃を配設し、かつ、上記蓋体の長手方向の中間部に、上記箱本体の長手方向に沿った直線状切断誘導用ガイド部を設け、短寸帯板状の上記切断刃は、先端縁部に２つの直角状角部を有する四角歯が多数本列設された櫛歯状の歯列部が形成され、さらに、２つの上記角部は、極微小アール状に形成され、その曲率半径が、０．０２ｍｍ≦Ｒ５≦０．０６ｍｍに設定されているものである。
【０００９】
また、細長直方体形状の箱本体にロール状に巻回された食品用ラップフィルムを引出し可能に収納し、上記箱本体に開閉自在に設けられた蓋体を有する食品用ラップフィルムの収納箱に於て、上記蓋体の長手方向の両端部に、上記食品用ラップフィルムの切断を開始させるための短寸帯板状切断刃を配設し、かつ、上記蓋体の長手方向の中間部に、上記箱本体の長手方向に沿った直線状切断誘導用ガイド部を設け、短寸帯板状の上記切断刃は、上記切断誘導用ガイド部に対して所定の傾斜角度をもって外端下傾状となるように配設され、かつ、先端縁部に２つの直角状角部を有する四角歯が多数本列設された櫛歯状の歯列部が形成され、さらに、２つの上記角部は、極微小アール状に形成され、その曲率半径が、０．０２ｍｍ≦Ｒ５≦０．０６ｍｍに設定されているものである。
【００１０】
また、細長直方体形状の箱本体にロール状に巻回された食品用ラップフィルムを引出し可能に収納し、上記箱本体に開閉自在に設けられた蓋体を有する食品用ラップフィルムの収納箱に於て、上記蓋体の長手方向の両端部に、上記食品用ラップフィルムの切断を開始させるための短寸の切断刃を配設し、かつ、上記蓋体の長手方向の中間部に、上記箱本体の長手方向に沿った直線状切断誘導用ガイド部を設け、かつ、該切断誘導用ガイド部に沿って帯板状案内補強部材を配設し、上記切断刃は、上記切断誘導用ガイド部に対して所定の傾斜角度をもって外端下傾状となるように配設され、かつ、先端縁部に２つの角部を有する四角歯が多数本列設された櫛歯状の歯列部が形成され、さらに、上記四角歯の２つの角部のうちの外側の角部が鋭角を成し、上記切断刃の上記傾斜角度に対応して上記四角歯が平行四辺形状に形成され、上記鋭角を成す外側の角部は、極微小アール状に形成され、その曲率半径が、０．０２ｍｍ≦Ｒ５≦０．０６ｍｍに設定されているものである。
また、上記切断誘導用ガイド部は、歯無しに形成されているものである。
【発明の効果】
【００１１】
本発明の食品用ラップフィルムの収納箱によれば、手・指のケガや皮膚が傷付くことを著しく減少でき、安全性の問題を含めたクレーム（苦情）のリスクを低減できる。切断刃が短寸帯板状であるため、分別処理の時に、蓋体から引き剥がしても反り返ることがなく、安全性を向上でき、かつ、安価に製造できる。食品用ラップフィルムの分子配向を利用して、ほぼ直線的な切断端縁を形成しつつ切断できるため、切れ味が著しく良好であって、食品用ラップフィルムを小さな力で軽く切断できる。即ち、食品用ラップフィルムの切断端縁を外観上美しく形成することができ、しかも、食品用ラップフィルムが途切れて破れてしまう途中切れを防止できる。
【図面の簡単な説明】
【００１２】
【図１】本発明の第１実施形態を示した正面図である。
【図２】本発明の第１実施形態の要部拡大正面図である。
【図３】本発明の第１実施形態の角部を拡大して示した拡大正面図である。
【図４】本発明の使用状態を示した説明図である。
【図５】本発明の使用状態を示した説明図である。
【図６】本発明の使用状態を示した説明図である。
【図７】使用状態の要部拡大正面図である。
【図８】本発明の第２実施形態を示した正面図であり、（ａ）は全体の正面図であり、（ｂ）は要部拡大正面図である。
【図９】本発明の第３実施形態を示した正面図である。
【図１０】本発明の他の実施例を示した要部拡大正面図である。
【図１１】本発明によって形成される食品用ラップフィルムの切断端縁の形状の説明図であり、（Ａ）は両端部の切断端縁を示し、（Ｂ）は中間部の切断端縁を示している。
【図１２】食品用ラップフィルムの切断に必要な切断力を示した比較参考用グラフ図であって、実線及び２点鎖線のグラフは本発明を示し、破線のグラフは従来の切断刃を示している。
【図１３】従来の切断刃を示した要部拡大図である。
【図１４】従来の切断刃によって形成された食品用ラップフィルムの切断端縁の拡大図である。
【発明を実施するための形態】
【００１３】
以下、実施の形態を示す図面に基づき本発明を詳説する。
図１に示すように、本発明の食品用ラップフィルムの収納箱は、細長直方体形状の箱本体１にロール状に巻回された食品用ラップフィルムＲを引出し可能に収納し、箱本体１に開閉自在に設けられた蓋体３を有する食品用ラップフィルムの収納箱に於て、蓋体３の長手方向の両端部３Ａ，３Ａに、食品用ラップフィルムＲの切断を開始させるための短寸帯板状切断刃２，２を配設し、かつ、蓋体３の長手方向の中間部３Ｂに、箱本体１の長手方向に沿った直線状切断誘導用ガイド部１３を設けている。
箱本体１は、例えば、紙製や樹脂製であって、食品用ラップフィルムＲを円筒状の巻芯に巻き付けた状態で保持している。箱本体１は、収納する食品用ラップフィルムＲの幅、巻回長さ及び巻芯の大きさ等により適宜設計変更が可能である。切断刃２，２は、カシメピンでカシメ足を作り、蓋体３の両端部３Ａ，３Ａにカシメられて取付けられている。蓋体３は、切断刃２，２の配設位置近傍に、押え位置表示マークＺ，Ｚを有している。このように、全体の左右方向端部に押え位置表示マークＺ，Ｚを配設することが望ましい（後述の図１２参照）。なお、左右方向の中央部に、この押え位置表示マークＺ，Ｚを設ける場合もあり得る。短寸帯板状の切断刃２，２は、その長さ寸法Ｌ２が、箱本体１の長手方向の全長寸法Ｌ１の５％〜２０％に設定されている。より望ましくは、１０％〜１５％とする。
【００１４】
図１と図２に示すように、切断刃２，２は、長手方向に歯列部６を有し、歯列部６は、先端縁部４Ａに２つの角部５，５を有する四角歯４を多数本櫛歯状に列設している。
四角歯４は、切断刃２の長手方向に沿って形成された先端縁部４Ａと、側縁部４Ｂ，４Ｂとを、有し、切断刃２の長手方向に所定の長さ寸法Ｔを有している。四角歯４の先端縁部４Ａ…は、切断刃２の長手方向に沿って仮想の一直線上に配設されている。この仮想の一直線を、刃先線Ｅ２とし、図中２点鎖線にて示す。図例では、刃先線Ｅ２は、蓋体３の両端部３Ａ，３Ａの先端縁に平行に配設されている。隣接する四角歯４，４は、所定幅寸法Ｗの間隔８をもって離間して並べられている。なお、本発明に於て、四角歯とは、正方形乃至平行四辺形状の歯型片を含み、四つ角が直角でない四角形も包含するものとする。
【００１５】
切断刃２は、金属の場合は、ブリキ等の薄い金属板を用いて作製される。また、金属板の場合、切断刃２の厚みは、０．１５ｍｍ以上で、かつ、０．３０ｍｍ以下に設定するのが好ましい。仮に、厚みが、０．１５ｍｍより小さいと、食品用ラップフィルムＲを切断するための剛性を確保できず、また、０．３０ｍｍより大きいと、金型で切断刃２を形成する際、大きな切断力が必要になり金型の寿命が極端に短くなる可能性がある。また、材質としては、金属製に限らず、硬質プラスチックとしたり、あるいは、加硫紙やバルカナイズド・ファイバーを用いた紙、又は、公知の他の材料を用いても良い。さらに、非金属の材料を用いる場合は、曲げ剛性、耐久性を十分に有する材質とする。例えば、プラスチック等では、ＰＰやＰＥＴ等を用いることも良く、生分解性プラスチックを用いるも望ましい。また、プラスチックの場合、酸化チタン、塩化亜鉛、カーボンファイバー等を添加したりするも良い。紙の場合は、樹脂（アクリル樹脂等）の含浸とすることもできる。また、上述の２種以上の材質のものを積層した帯状板を用いてもよい。なお、プラスチックの場合には、切断刃２の厚みは、０．１５ｍｍ〜０．３０ｍｍが好ましく、また、紙の場合には、０．２ｍｍ〜０．４ｍｍが好ましい。
【００１６】
図１〜図３に示す第１実施形態では、切断刃２，２は、切断誘導用ガイド部１３に対して、歯列部６が所定の傾斜角度θをもって外端下傾状となるように配設され、歯列部６に於て、四角歯４の２つの角部５，５のうちの外側の角部５Ａが、傾斜角度θに対応して、鋭角φを成すように形成されている。
蓋体３は、両端部３Ａ，３Ａの先端縁が外端下傾状となるように形成されており、この両端部３Ａ，３Ａの先端縁に切断刃２，２が平行状に配設されることで、歯列部６が所定の傾斜角度θをもって傾斜している。つまり、切断刃２，２の歯列部６，６と切断誘導用ガイド部１３は、全体として浅い凹状に形成されている。なお、傾斜角度θは、５°〜３０°、好ましくは、１０°〜２０°に設定する。鋭角φと歯列部６の傾斜角度θの関係は、φ＝９０°−θで表わされる。
【００１７】
図３に示すように、鋭角φを成す外側の角部５Ａは、極微小アール状に形成され、その曲率半径Ｒ５が、０．０２ｍｍ≦Ｒ５≦０．０６ｍｍに設定されている。
角部５の曲率半径Ｒ５が、０．０２ｍｍ未満であると、加工が難しくなり、また、角部５の曲率半径Ｒ５が、０．０６ｍｍを越えると、食品用ラップフィルムＲを突き破りにくくなり、切れ味が悪くなる。なお、より好ましくは、角部５の曲率半径Ｒ５を、０．０２５ｍｍ〜０．０２９ｍｍに設定するのが望ましい。
【００１８】
次に、図８に示す本発明の第２実施形態について説明する。
図８（ａ）に於て、蓋体３の長手方向の中間部３Ｂに、切断誘導用ガイド部１３を設け、蓋体３の両端部３Ａ，３Ａの切断刃２，２は、切断誘導用ガイド部１３に対して、歯列部６が平行状に配設されている。図８（ｂ）に示す歯列部６では、四角歯４の２つの角部５，５が、略直角状に形成されている。図８では、２つの角部５，５が、曲率半径Ｒ５を、０．０２ｍｍ≦Ｒ５≦０．０６ｍｍに設定しているのが望ましい。その他の構成は、上述の第１実施形態と同様であるため説明を省略する。
【００１９】
次に、図９に示す本発明の第３実施形態について説明する。
図９の食品用ラップフィルムの収納箱は、蓋体３の長手方向の両端部３Ａ，３Ａに、食品用ラップフィルムＲの切断を開始させるための短寸帯板状切断刃２，２を配設し、かつ、蓋体３の長手方向の中間部３Ｂに、箱本体１の長手方向に沿った直線状切断誘導用ガイド部１３を設け、切断刃２，２は、切断誘導用ガイド部１３に対して、歯列部６が所定の傾斜角度θをもって外端下傾状となるように配設されている点で、上述の第１実施形態と同様である。なお、図示省略するが、歯列部６に於て、四角歯４の２つの角部５，５のうちの外側の角部５Ａが、傾斜角度θに対応して、鋭角φを成すように形成されている。
図９では、蓋体３の長手方向の中間部３Ｂに、切断誘導用ガイド部１３に沿って帯板状案内補強部材７を配設している。案内補強部材７は、両端部に切断刃２，２が一体に連結されている。切断刃２，２の歯列部６，６と案内補強部材７は、全体として浅い凹状に形成されている。この構成により、切断誘導用ガイド部１３の剛性が向上し、確実に食品用ラップフィルムを切断することができる。
【００２０】
なお、本発明の全ての実施形態に於て、隣接する四角歯４，４相互の間隔８の幅寸法Ｗを、０．２ｍｍ≦Ｗ≦０．５ｍｍに設定するのが望ましい。間隔８の幅寸法Ｗが、０．２ｍｍより小さいと、加工が難しくなると共に、角部５による食品用ラップフィルムＲの突き破りが有効に行われにくくなる。また、間隔８の幅寸法Ｗが、０．５ｍｍより大きいと、後述する食品用ラップフィルムＲの切断端縁２０に凹凸が生じ易くなる虞れがある。間隔８の幅寸法Ｗは、より好ましくは、０．２２ｍｍ≦Ｗ≦０．３０ｍｍに設定するのが良い。
また、四角歯４の長さ寸法Ｔは、０．２ｍｍ以上で、かつ、０．７ｍｍ以下に設定するのが望ましい。仮に、四角歯４の長さ寸法Ｔが、０．２ｍｍより小さいと、歯列部６に手や指が接触した際にケガの原因となったり皮膚を傷付けたりする虞れがあり、また、０．７ｍｍ以上であると、食品用ラップフィルムＲが滑りを生じてしまい切れ味が劣化する。なお、図示省略するが、四角歯４の長さ寸法Ｔを大小変化させても、食品用ラップフィルムＲの切断端縁２０の直線性を損なうことはなく、言い換えると、食品用ラップフィルムＲの切断端縁２０の直線性は、間隔８の幅寸法Ｗに起因していると言える。つまり、四角歯４は、要旨を逸脱しない範囲で設計変更が可能であって、間隔８を加工上可能な限り小さく設定して、引き裂き伝播し易く、切断端縁２０がえぐれる深さをできるだけ小さくして直線性を保ち、途中切れを生じにくくするのが望ましい。
【００２１】
上述した本発明の食品用ラップフィルムの収納箱の使用方法（作用）について説明する。
図４に示すように、本発明の収納箱から引き出した食品用ラップフィルムＲを切断しようとする際には、押え位置表示マークＺに指を当てて片手ＨＬで箱本体１を持ち、他方の片手ＨＲに食品用ラップフィルムＲを持って、箱本体１を保持したまま食品用ラップフィルムＲを上方に引き上げて、食品用ラップフィルムＲを切断刃２に押し付けて切断する。この際、図５に示すように、箱本体１を水平状又は角度αに傾けて持ち、切断刃２の刃先線Ｅ２が、水平線Ｌ０に対して、１０°〜３０°の角度βを成すように保持する。
【００２２】
図５と図７に示すように、切断刃２に食品用ラップフィルムＲが押し付けられると、四角歯４の外側の角部５Ａが、食品用ラップフィルムＲを突き破って（小さな）貫通孔を形成する。切断刃２は、四角歯４の角部５Ａ…による貫通孔をカット起点とし、そして、四角歯４の先端縁部４Ａに沿って食品用ラップフィルムＲを、ほぼ一直線（刃先線Ｅ２）上で切断する。言い換えると、切断刃２は、食品用ラップフィルムＲの分子配向を利用して、切断端縁２０を直線的に形成しつつ切断するので、分子鎖を切る力をほとんど必要とすることなく、切断に必要な力が非常に小さく済む。しかも、切断後の食品用ラップフィルムＲの切断端縁２０は美しく、外観上好ましい。つまり、分子鎖を切る長さを出来るだけ少なくでき、切断に必要な力が従来品より小さくて済む。
【００２３】
四角歯４，４の間隔８に於ては、食品用ラップフィルムＲの切断端縁２０に僅かな凹部１９（ギャップ）を生じつつ引き裂かれる（図１１（Ａ）参照）。この際、間隔８の幅寸法Ｗを、０．２ｍｍ≦Ｗ≦０．５ｍｍに設定したものであれば、凹部１９の落込み寸法ΔＡを、０．１ｍｍ〜０．４ｍｍ程度に抑制して、食品用ラップフィルムＲの切断端縁２０が直線上から逸脱するのを防止し、切断端縁２０は、外観上、ほぼ直線状に形成される。より好ましい実施形態として、間隔８の幅寸法Ｗを、０．２２ｍｍ≦Ｗ≦０．３０ｍｍに設定したものであれば、凹部１９の落込み寸法ΔＡを、０．０９ｍｍ〜０．１２ｍｍ程度に抑制できる。
【００２４】
図６に示すように、切断刃２にて食品用ラップフィルムＲにカット起点を形成した後、食品用ラップフィルムＲを持つ方の手ＨＲを、さらに上方に引き上げると、食品用ラップフィルムＲは、蓋体３の中間部３Ｂの直線状切断誘導用ガイド部１３に沿って引き裂かれる。この際、切断誘導用ガイド部１３は、切断刃２にて形成した切れ目から切断を開始し、食品用ラップフィルムＲの分子配向を利用して、箱本体１の長手方向に食品用ラップフィルムＲの切断端縁２０を（ほぼ直線的に）誘導しつつ引き裂いて、その切断に必要な力は非常に小さく済む。また、切断時の食品用ラップフィルムにノッチ（切り目）を生じることがなく、途中切れを防止できる。
【００２５】
図１１に示すように、本発明の食品用ラップフィルムの収納箱によれば、食品用ラップフィルムＲには、ほぼ直線的な切断端縁２０が形成される。即ち、蓋体３の両端部３Ａに於ては、図１１（Ａ）に示すように、切断刃２の四角歯４によるカット起点の形成の際、微小な凹部１９が形成されるが、その落込み寸法ΔＡは極めて小さく設定される。また、図１１（Ｂ）に示すように、蓋体３の中間部３Ｂに於て、カット起点から切れ目を伝播させて、ほとんど力を加える必要もなく、食品用ラップフィルムＲを一気に引き裂くことができる。この際、蓋体３の中間部３Ｂには、刃（歯）が無いので、凹凸のない直線的な切断端縁２０が形成される。
【００２６】
図１２は、本発明と従来の切断刃４０（図１３参照）によって食品用ラップフィルムＲを切断する際に必要な切断力を示した比較参考用のグラフ図である。
図１２に示す実線のグラフは、全体の左右方向端部に押え位置表示マークＺ，Ｚを配設した場合の切断力を示し、２点鎖線のグラフは、全体の中央部に押え位置表示マークＺを配設した場合の切断力を示している。なお、破線のグラフは、収納箱全体の中央部を押えて従来の切断刃４０により食品用ラップフィルムを切断する際の切断力を示している。
本発明によれば、切断刃２によって切断開始時に小さな切断力をもってカット起点を形成した後、ほとんど力を加える必要がなく切り裂くことができ、非常に小さな切断力で食品用ラップフィルムＲの切断が可能であることが判る。特に、実線のグラフを見れば明らかなように、押え位置表示マークＺ，Ｚを全体の左右方向端部に配設した場合には、切断開始時に僅かな力（約２０ｇｆ）を加えて切断を開始して、その後、ほとんど力を加えなくても切断を行える。
一方、従来の切断刃４０では、切断端縁をジグザグに形成し（図１４参照）、食品用ラップフィルムの分子鎖を切り離しながら切断を行なうため、切断開始時に非常に大きな力（本発明の切断刃による切断力の２倍以上）を必要とし、その後も、比較的大きな切断力を加え続けなければ食品用ラップフィルムＲを切断することができなかったのである。
【００２７】
なお、本発明は、設計変更可能であって、例えば、図１０に示すように、切断刃２，２は、歯列部６が傾斜角度θをもって配設されている場合に、四角歯４の２つの角部５，５が、略直角状に形成されていても良い。
また、図示省略するが、歯列部６は、２つの角部５，５を有する四角歯４、及び、四角歯４，４間に１つの頂角を有する三角歯を備え、四角歯４と三角歯とが交互になるように多数本を順次列設したものであって良い。
【００２８】
以上のように、本発明に係る食品用ラップフィルムの収納箱は、細長直方体形状の箱本体１にロール状に巻回された食品用ラップフィルムＲを引出し可能に収納し、箱本体１に開閉自在に設けられた蓋体３を有する食品用ラップフィルムの収納箱に於て、蓋体３の長手方向の両端部３Ａ，３Ａに、食品用ラップフィルムＲの切断を開始させるための短寸帯板状切断刃２，２を配設し、かつ、蓋体３の長手方向の中間部３Ｂに、箱本体１の長手方向に沿った直線状切断誘導用ガイド部１３を設けたので、手・指のケガや皮膚が傷付くことを著しく減少でき、安全性の問題を含めたクレーム（苦情）のリスクを低減できる。切断刃２，２が短寸帯板状であるため、分別処理の時に、蓋体３から引き剥がしても反り返ることがなく、安全性を向上でき、かつ、安価に製造できる。食品用ラップフィルムＲの分子配向を利用して、ほぼ直線的な切断端縁２０を形成しつつ切断できるため、切れ味が著しく良好であって、食品用ラップフィルムＲを小さな力で軽く切断できる。即ち、食品用ラップフィルムＲの切断端縁２０を外観上美しく形成することができ、しかも、食品用ラップフィルムＲが途切れて破れてしまう途中切れを防止できる。
【００２９】
また、切断刃２，２は、長手方向に歯列部６を有し、歯列部６は、先端縁部４Ａに２つの角部５，５を有する四角歯４を多数本櫛歯状に列設しているので、切断刃２，２に手・指が接触しても、ケガや皮膚が傷付くことを防止でき、食品用ラップフィルムＲの分子配向を利用して、小さな力で軽く切断できる。つまり、切れ味が向上する。食品用ラップフィルムＲの切断端縁２０を略直線的に美しく形成でき、途中切れを減少できる。
【００３０】
また、切断刃２，２は、切断誘導用ガイド部１３に対して、歯列部６が所定の傾斜角度θをもって外端下傾状となるように配設され、歯列部６に於て、四角歯４の２つの角部５，５のうちの外側の角部５Ａが、傾斜角度θに対応して、鋭角φを成すように形成されているので、食品用ラップフィルムＲの切断を開始させるためのカット起点を、非常に小さな力で形成できる。つまり、切れ味が向上する。
【００３１】
また、鋭角φを成す外側の角部５Ａは、極微小アール状に形成され、その曲率半径Ｒ５が、０．０２ｍｍ≦Ｒ５≦０．０６ｍｍに設定されているので、切れ味が著しく良好であって、食品用ラップフィルムＲを小さな力で軽く切断でき（切れ味が優れ）、かつ、角部５の加工が可能である。
また、切断誘導用ガイド部１３は、歯無しに形成されているので、安全性を向上でき、かつ、安価に製造できる。また、食品用ラップフィルムＲの切断端縁２０を直線的に形成でき、切れ味が良好で、かつ、途中切れを防止し得る。
【符号の説明】
【００３２】
１  箱本体
２  切断刃
３  蓋体
３Ａ  両端部
３Ｂ  中間部
４  四角歯
４Ａ  先端縁部
５  角部
５Ａ  外側の角部
６  歯列部
７  案内補強部材
１３  切断誘導用ガイド部
Ｒ  食品用ラップフィルム
θ  傾斜角度
φ  鋭角
Ｒ５  曲率半径
【図１】
0005837840.tif 000002
【図２】
0005837840.tif 000003
【図３】
0005837840.tif 000004
【図４】
0005837840.tif 000005
【図５】
0005837840.tif 000006
【図６】
0005837840.tif 000007
【図７】
0005837840.tif 000008
【図８】
0005837840.tif 000009
【図９】
0005837840.tif 000010
【図１０】
0005837840.tif 000011
【図１１】
0005837840.tif 000012
【図１２】
0005837840.tif 000013
【図１３】
0005837840.tif 000014
【図１４】
0005837840.tif 000015